【手続補正書】
【提出日】平成16年4月27日(2004.4.27)
【手続補正１】
【補正対象書類名】明細書
【補正対象項目名】特許請求の範囲
【補正方法】変更
【補正の内容】
【特許請求の範囲】
【請求項１】
映像番組の検索を支援する方法であって、
予め、映像番組を複数の属性に分類する分類基準を規定しておくステップと、
前記映像番組の番組情報を取得するステップと、
前記番組情報を前記分類基準に応じて属性別に分類するステップと、
前記分類基準で規定された属性をモニタ画面上の第一の方向に選択可能に表示すると共に、前記属性に分類される番組情報のみを当該モニタ画面上の第二の方向に選択可能に表示するステップとを有することを特徴とする映像検索支援方法。
【請求項２】
前記属性および番組情報を表示するステップで、
前記属性に分類される番組情報を選択するステップと、
選択された前記番組情報に対応する映像番組を当該モニタ画面に表示するステップとを有することを特徴とする請求項１に記載の映像検索支援方法。
【請求項３】
前記番組情報は、前記映像番組に重畳して放送される電子番組情報であることを特徴とする請求項１に記載の映像検索支援方法。
【請求項４】
前記属性および番組情報を表示するステップは、
前記属性を選択するステップと、
選択された前記属性に分類される番組情報のみを記録された日時に沿って配列し、当該モニタ画面の縦方向に選択可能に表示するステップを有することを特徴とする請求項１に記載の映像検索支援方法。
【請求項５】
映像番組の検索を支援する映像検索支援装置であって、
映像番組を複数の属性に分類する分類基準を格納する分類基準情報格納部と、
前記映像番組の番組情報を取得する番組情報取得手段と、
前記番組情報を前記分類基準に応じて属性別に分類する番組情報分類手段と、
分類された前記番組情報を格納する番組情報格納部と、
前記分類基準で規定された属性をモニタ画面上の第一の方向に選択可能に表示すると共に、選択された前記属性に分類される番組情報のみを当該モニタ画面上の第二の方向に選択可能に表示する表示手段とを備えたことを特徴とする映像検索支援装置。
【請求項６】
前記表示手段は、
選択された番組情報に対応する映像番組を当該モニタ画面に表示することを特徴とする請求項５に記載の映像検索支援装置。
【請求項７】
映像番組の記録、再生機能を有した放送受信装置であって、
映像番組を複数の属性に分類する分類基準を格納する分類基準情報格納部と、
前記映像番組の番組情報を取得する番組情報取得手段と、
前記番組情報を前記分類基準に応じて属性別に分類する番組情報分類手段と、
分類された前記番組情報を格納する番組情報格納部と、
前記分類基準で規定された属性をモニタ画面上の第一の方向に選択可能に表示すると共に、選択された属性に分類される番組情報のみを当該モニタ画面上の第二の方向に選択可能に表示し、かつ選択された番組情報に対応する映像番組を当該モニタ画面に表示する表示手段とを備えたことを特徴とする放送受信装置。
【請求項８】
前記表示手段を遠隔から操作する遠隔操作手段を備えたことを特徴とする請求項７に記載の放送受信装置。
【請求項９】
前記遠隔操作手段は十字キーを備え、
前記十字キーを左右方向に、又は上下方向に操作することによって、
前記分類基準で規定された属性をモニタ画面上の第一の方向に検索し、又は選択された属性に分類される番組情報を当該モニタ画面上の第二の方向に検索するようになされたことを特徴とする請求項８に記載の放送受信装置。
【請求項１０】
前記表示手段によってモニタ画面に再生表示される映像番組の再生速度は、通常の再生速度の３００倍以下であることを特徴とする請求項７に記載の放送受信装置。
【請求項１１】
前記表示手段によってモニタ画面に表示された映像番組が他の映像番組に切り替えられる際に、当該映像番組の切り替えの過程を示す枠部が該モニタ画面に表示されることを特徴とする請求項７に記載の放送受信装置。
【請求項１２】
前記表示手段は、
前記第一の方向と直交する方向を前記第二の方向としたとき、
選択された前記属性に分類される番組情報を前記第二の方向に表示することを特徴とする請求項７に記載の放送受信装置。
【手続補正２】
【補正対象書類名】明細書
【補正対象項目名】００１４
【補正方法】変更
【補正の内容】
【００１４】
【課題を解決するための手段】
上述した課題は、映像番組の検索を支援する方法であって、予め、映像番組を複数の属性に分類する分類基準を規定しておくステップと、この映像番組の番組情報を取得するステップと、この番組情報を分類基準に応じて属性別に分類するステップと、分類基準で規定された属性をモニタ画面上の第一の方向に選択可能に表示すると共に、属性に分類される番組情報のみを当該モニタ画面上の第二の方向に選択可能に表示するステップとを有することを特徴とする映像検索支援方法によって解決される。
【手続補正３】
【補正対象書類名】明細書
【補正対象項目名】００１５
【補正方法】変更
【補正の内容】
【００１５】
本発明に係る映像検索支援方法によれば、ユーザはモニタ画面上で映像番組の属性を第一の方向に検索しながら視聴したい映像番組の属性を選択でき、選択した属性に分類される番組情報のみを当該モニタ画面上で見ながら、視聴したい映像番組を第二の方向に検索することができる。
【手続補正４】
【補正対象書類名】明細書
【補正対象項目名】００１６
【補正方法】変更
【補正の内容】
【００１６】
本発明に係る映像検索支援装置は、映像番組の検索を支援する映像検索支援装置であって、映像番組を複数の属性に分類する分類基準を格納する分類基準情報格納部と、映像番組の番組情報を取得する番組情報取得手段と、この番組情報を分類基準に応じて属性別に分類する番組情報分類手段と、分類された番組情報を格納する番組情報格納部と、分類基準で規定された属性をモニタ画面上の第一の方向に選択可能に表示すると共に、選択された属性に分類される番組情報のみを当該モニタ画面上の第二の方向に選択可能に表示する表示手段とを備えたことを特徴とするものである。
【手続補正５】
【補正対象書類名】明細書
【補正対象項目名】００１７
【補正方法】変更
【補正の内容】
【００１７】
本発明に係る映像検索支援装置によれば、ユーザはモニタ画面上で映像番組の属性を第一の方向に検索しながら視聴したい映像番組の属性を選択でき、選択した属性に分類される番組情報のみを当該モニタ画面上で見ながら、視聴したい映像番組を第二の方向に検索することができる。
【手続補正６】
【補正対象書類名】明細書
【補正対象項目名】００１９
【補正方法】変更
【補正の内容】
【００１９】
本発明に係る放送受信装置は、映像番組の記録、再生機能を有した放送受信装置であって、映像番組を複数の属性に分類する分類基準を格納する分類基準情報格納部と、映像番組の番組情報を取得する番組情報取得手段と、この番組情報を分類基準に応じて属性別に分類する番組情報分類手段と、分類された番組情報を格納する番組情報格納部と、分類基準で規定された属性をモニタ画面上の第一の方向に選択可能に表示すると共に、選択された属性に分類される番組情報のみを当該モニタ画面上の第二の方向に選択可能に表示し、かつ選択された番組情報に対応する映像番組を当該モニタ画面に表示する表示手段とを備えたことを特徴とするものである。
【手続補正７】
【補正対象書類名】明細書
【補正対象項目名】００２０
【補正方法】変更
【補正の内容】
【００２０】
本発明に係る放送受信装置によれば、上述した映像検索支援装置が応用されるので、ユーザはモニタ画面上で映像番組の属性を第一の方向（以下で横方向ともいう）に検索しながら視聴したい映像番組の属性を選択でき、選択した属性に分類される番組情報のみを当該モニタ画面上で見ながら、視聴したい映像番組を第二の方向（以下で縦方向ともいう）に検索することができる。
【手続補正８】
【補正対象書類名】明細書
【補正対象項目名】０１０７
【補正方法】変更
【補正の内容】
【０１０７】
【発明の効果】
以上説明したように、本発明に係る映像検索支援方法によれば、映像番組の検索を支援する方法であって、予め、映像番組を複数の属性に分類する分類基準を規定しておき、次に映像番組の番組情報を取得して、この番組情報を分類基準に応じて属性別に分類し、その後、分類基準で規定された属性をモニタ画面上の第一の方向に選択可能に表示すると共に、属性に分類される番組情報のみを当該モニタ画面上の第二の方向に選択可能に表示するようになされる。
【手続補正９】
【補正対象書類名】明細書
【補正対象項目名】０１０８
【補正方法】変更
【補正の内容】
【０１０８】
この構成によって、ユーザはモニタ画面上で映像番組の属性を第一の方向に検索しながら視聴したい映像番組の属性を選択でき、選択した属性に分類される番組情報のみを当該モニタ画面上で見ながら、視聴したい映像番組を第二の方向に検索することができる。
【手続補正１０】
【補正対象書類名】明細書
【補正対象項目名】０１１０
【補正方法】変更
【補正の内容】
【０１１０】
また、本発明に係る映像検索支援装置によれば、映像番組の検索を支援する映像検索支援装置であって、分類基準で規定された属性をモニタ画面上の第一の方向に選択可能に表示すると共に、選択された属性に分類される番組情報のみを当該モニタ画面上の第二の方向に選択可能に表示する表示手段を備えたものである。
【手続補正１１】
【補正対象書類名】明細書
【補正対象項目名】０１１１
【補正方法】変更
【補正の内容】
【０１１１】
この構成によって、ユーザはモニタ画面上で映像番組の属性を第一の方向に検索しながら視聴したい映像番組の属性を選択でき、選択した属性に分類される番組情報のみを当該モニタ画面上で見ながら、視聴したい映像番組を第二の方向に検索することができる。
【手続補正１２】
【補正対象書類名】明細書
【補正対象項目名】０１１４
【補正方法】変更
【補正の内容】
【０１１４】
本発明に係る放送受信装置によれば、映像番組の記録、再生機能を有した放送受信装置であって、分類基準で規定された属性をモニタ画面上の第一の方向に選択可能に表示すると共に、選択された属性に分類される番組情報のみを当該モニタ画面上の第二の方向に選択可能に表示し、かつ選択された番組情報に対応する映像番組を当該モニタ画面に表示する表示手段を備えたものである。